(57)【要約】【課題】本発明は、調節方法が簡単であり且つコストを節約することができる電子装置の表示パネルの輝度調節システム及びその方法を提供することを目的とする。【解決手段】本発明に係る電子装置の表示パネルの輝度調節方法は、表示パネルの表示輝度をＮ個の輝度レベルに設定し、設定したＮ個の輝度レベルに基づいて、カメラ部品が撮影した画像から得られる輝度値をＮ個の輝度値区間に区分し且つ区分した各々の輝度値区間を一つの輝度レベルに対応させる設定ステップと、所定時間ごとに、カメラ部品を起動して、撮影し、撮影画像を取得する撮影ステップと、取得した撮影画像の輝度値を計算する計算ステップと、前記撮影画像の輝度値が所在する輝度値区間に基づいて、表示パネルの表示輝度を該輝度値区間に対応する一つの輝度レベルに調節する調節ステップと、を備える。【選択図】図３
2013123223.tif 000002
【特許請求の範囲】
【請求項１】
カメラ部品を備える電子装置の表示パネルの輝度調節方法であって、表示パネルの表示輝度をＮ個の輝度レベルに設定し、設定したＮ個の輝度レベルに基づいて、カメラ部品が撮影した画像から得られる輝度値をＮ個の輝度値区間に区分し且つ区分した各々の輝度値区間を一つの輝度レベルに対応させる設定ステップと、所定時間ごとに、カメラ部品を起動して撮影を行い、撮影画像を取得する撮影ステップと、取得した前記撮影画像の輝度値を計算する計算ステップと、前記撮影画像の輝度値が位置する輝度値区間に基づいて、表示パネルの表示輝度を該輝度値区間に対応する一つの輝度レベルに調節する調節ステップと、を備えることを特徴とする電子装置の表示パネルの輝度調節方法。
【請求項２】
前記計算ステップは、前記撮影画像の中の各画素の輝度値を取得した後、該撮影画像の全ての画素の輝度値の平均値を計算して、該平均値を前記撮影画像の輝度値とすることを特徴とする請求項１に記載の電子装置の表示パネルの輝度調節方法。
【請求項３】
カメラ部品を備える電子装置の表示パネルの輝度調節システムであって、表示パネルの表示輝度をＮ個の輝度レベルに設定し、設定したＮ個の輝度レベルに基づいて、カメラ部品が撮影した画像から得られる輝度値をＮ個の輝度値区間に区分し且つ区分した各々の輝度値区間を一つの輝度レベルに対応させる設定モジュールと、所定時間ごとに、カメラ部品を起動して撮影を行い、撮影画像を取得する撮影モジュールと、取得した前記撮影画像の輝度値を計算する計算モジュールと、前記撮影画像の輝度値が位置する輝度値区間に基づいて、表示パネルの表示輝度を該輝度値区間に対応する一つの輝度レベルに調節する調節モジュールと、を備えることを特徴とする電子装置の表示パネルの輝度調節システム。
【発明の詳細な説明】
【技術分野】
【０００１】
本発明は、電子装置の表示パネルの輝度調節システム及びその方法に関する。
【背景技術】
【０００２】
携帯電話機等の電子装置の表示内容を快適に閲覧するために、ユーザーは、自身の習慣或いは周囲の明るさの変化に基づいて、度々電子装置の表示パネルの輝度を調節することがある。しかし、その都度手によって表示パネルの輝度を調節しなければならないため、面倒であり且つ人間工学的ではない。
【０００３】
現在、この問題を解決するために、多くの電子装置が光センサーを備えている。この光センサーは、周囲の明るさの輝度を測定し且つその輝度に基づいて、電子装置の表示パネルの輝度を自動的に調節する。しかし、上記の自動調節方式は、光センサーを別途設ける必要があるので、コスト高になる。
【発明の概要】
【発明が解決しようとする課題】
【０００４】
以上の問題点に鑑みて、本発明は、調節方法が簡単で且つコストを節約することができる電子装置の表示パネルの輝度調節システム及びその方法を提供することを目的とする。
【課題を解決するための手段】
【０００５】
上記の目的を達成するために、本発明に係る電子装置の表示パネルの輝度調節システムは、表示パネルの表示輝度をＮ個の輝度レベルに設定し、設定したＮ個の輝度レベルに基づいて、カメラ部品が撮影した画像から得られる輝度値をＮ個の輝度値区間に区分し且つ区分した各々の輝度値区間を一つの輝度レベルに対応させる設定モジュールと、所定時間ごとに、カメラ部品を起動して撮影を行い、撮影画像を取得する撮影モジュールと、取得した撮影画像の輝度値を計算する計算モジュールと、前記撮影画像の輝度値が所在する輝度値区間に基づいて、表示パネルの表示輝度を該輝度値区間に対応する一つの輝度レベルに調節する調節モジュールとを備える。
【０００６】
また、上記の目的を達成するために、本発明に係る電子装置の表示パネルの輝度調節方法は、表示パネルの表示輝度をＮ個の輝度レベルに設定し、設定したＮ個の輝度レベルに基づいて、カメラ部品が撮影した画像から得られる輝度値をＮ個の輝度値区間に区分し且つ区分した各々の輝度値区間を一つの輝度レベルに対応させる設定ステップと、所定時間ごとに、カメラ部品を起動して撮影を行い、画像を撮影する撮影ステップと、撮影画像の輝度値を計算する計算ステップと、前記撮影画像の輝度値が位置する輝度値区間に基づいて、表示パネルの表示輝度を該輝度値区間に対応する一つの輝度レベルに調節する調節ステップと、を備える。
【発明の効果】
【０００７】
従来の技術と異なり、本発明に係る電子装置の表示パネルの輝度調節システム及びその方法は、電子装置自身のカメラ部品を介して撮影画像を取得し、前記撮影画像から求められる輝度値に基づいて、表示パネルの表示輝度を自動的に調節する。これにより、光センサーを使用せずとも、表示パネルの輝度を調節することができるので、調節方法が簡単であり、また、更に光センサーを設ける必要がないため、コストを節約することができる。
【図面の簡単な説明】
【０００８】
【図１】本発明の実施形態に係る電子装置の表示パネルの輝度調節システムの構成を示す図である。
【図２】本発明において、表示パネルが表示する輝度にレベルを設定し、画像から得られる輝度値を、該輝度レベルに対応する輝度値区間に区分した状態を示す図である。
【図３】本発明の電子装置の表示パネルの輝度調節方法のフローチャートである。
【発明を実施するための形態】
【０００９】
図１に示すように、本発明の実施形態に係る電子装置の表示パネルの輝度調節システム１０（以下、輝度調節システム１０と略称する）は、電子装置１の内部に配置される。電子装置１は、表示パネル１１、メモリー１２、プロセッサー１３及びカメラ部品１４を備える。本実施形態において、電子装置１は、携帯電話機、携帯情報端末（ＰＤＡ）及び表示パネル１１を採用したモバイルインターネットデバイス（ＭＩＤ）等の携帯式電子装置であってもよいが、これらに限定されない。カメラ部品１４は、電子装置１の前面カメラ或いは背面カメラであってもよい。好ましくは、カメラ部品１４は電子装置１の前面カメラである。
【００１０】
輝度調節システム１０は、設定モジュール１０１、撮影モジュール１０２、計算モジュール１０３及び調節モジュール１０４を備える。また、輝度調節システム１０は、メモリー１２の中にインストールされて、その実行はプロセッサー１３により制御されてもよい。
【００１１】
設定モジュール１０１は、表示パネル１１の表示輝度をＮ個の輝度レベルに設定することに用いられる。図２に示すように、設定モジュール１０１は、先ず、表示パネル１１の表示輝度をＬｅｖｅｌ１〜Ｌｅｖｅｌ８までの八つの輝度レベルに設定する。この際、輝度レベルが高いほど、表示パネル１１の表示輝度の値は高い。次いで、設定モジュール１０１は、設定したＮ個の輝度レベルに基づいて、カメラ部品１４が撮影した画像から得られる輝度値をＮ個の輝度値区間に区分し且つ区分した各々の輝度値区間を一つの輝度レベルに対応させる。ここで、画像の輝度値の範囲は０〜２５５である。図２に示すように、上記のＬｅｖｅｌ１〜Ｌｅｖｅｌ８までの八つの輝度レベルに基づいて、前記輝度値の範囲を［０〜３１］、［３２〜６５］…［２２４〜２２５］の八つの区間に区分する。区間［０〜３１］は輝度レベルＬｅｖｅｌ１に対応し、区間［３２〜６５］は輝度レベルＬｅｖｅｌ２に対応し、以下同様に、区間［２２４〜２２５］は輝度レベルＬｅｖｅｌ８に対応する。
【００１２】
撮影モジュール１０２は、所定時間（例えば５００ミリ秒或いは１秒）ごとに、カメラ部品１４を起動して撮影を行い、現在地の撮影画像を取得する。
【００１３】
計算モジュール１０３は、取得した撮影画像の輝度値を計算するために用いられる。ここで、撮影画像の輝度値とは、画像におけるＹＵＶ中のＹ値であり、Ｙ値は画像の明るさを示す。また、Ｕ値及びＶ値は画像の色彩度を示して、画像の色彩及び飽和度を描写して画素の色を指定する。本実施形態において、計算モジュール１０３は、前記撮影画像の中の各画素の輝度値を取得した後、撮影画像の全ての画素の輝度値の平均値を計算して、該平均値を撮影画像の輝度値とする。
【００１４】
調節モジュール１０４は、前記撮影画像の輝度値が位置する輝度値区間に基づいて、表示パネル１１の表示輝度を該輝度値区間に対応する一つの輝度レベルに調節する。例えば、撮影画像の輝度値が５５であれば、その輝度値区間は［３２〜６５］であり、この際の輝度レベルはＬｅｖｅｌ２であるから、調節モジュール１０４は、表示パネル１１の表示輝度をＬｅｖｅｌ２に調節する。
【００１５】
以下、図３を参照しながら、本発明の電子装置の表示パネルの輝度調節方法の流れについて詳細に説明する。
【００１６】
ステップＳ０１において、設定モジュール１０１は、表示パネル１１の表示輝度をＮ個の輝度レベルに設定し、設定したＮ個の輝度レベルに基づいて、カメラ部品１４が撮影した画像から得られる輝度値を、Ｎ個の輝度値区間に区分し且つ区分した各々の輝度値区間を一つの輝度レベルに対応させる。ここで、画像から得られる輝度値は０〜２５５である。
【００１７】
ステップＳ０２において、撮影モジュール１０２は、所定時間ごとに、カメラ部品１４を起動して撮影を行い、撮影画像を取得する。
【００１８】
ステップＳ０３において、計算モジュール１０３は、取得した撮影画像の輝度値を計算する。具体的には、計算モジュール１０３は、前記撮影画像における各画素の輝度値を取得した後、該撮影画像の全ての画素の輝度値の平均値を計算して、該平均値を前記撮影画像の輝度値とする。
【００１９】
ステップＳ０４において、調節モジュール１０４は、前記撮影画像の輝度値が位置する輝度値区間に基づいて、表示パネル１１の表示輝度を該輝度値区間に対応する一つの輝度レベルに調節する。
【００２０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２１】
１            電子装置
１０          輝度調節システム
１１          表示パネル
１２          メモリー
１３          プロセッサー
１４          カメラ部品
１０１        設定モジュール
１０２        撮影モジュール
１０３        計算モジュール
１０４        調節モジュール
【図１】
2013123223.tif 000003
【図２】
2013123223.tif 000004
【図３】
2013123223.tif 000005